(57)【特許請求の範囲】
【請求項１】
摩擦ディスク(12)を相互回転不能且つクラッチ軸芯方向に摺動自在に支持するクラッチアウタ(7)と、クラッチディスク(11)を相互回転不能且つクラッチ軸芯(Y)方向に摺動自在に支持するクラッチセンタ(10)と、同クラッチセンタ(10)と係合するクラッチスプリング(24)を収容する深穴部(21)が形成されたプレッシャプレート(20)とを備えるクラッチ装置において、
前記深穴部(21)は、前記クラッチスプリング(24)を受ける坐面(22a)をなす底部(22)と、
少なくとも一部が前記クラッチ軸芯(Y)と平行な円筒軸芯(Z)を有する円筒形状をなして内面側(25a)を前記クラッチ軸芯側に向けた壁部(25)とで構成され、
前記深穴部(21)は、前記クラッチスプリング(24)を前記壁部(25)の内面側に収容するとともに、前記壁部(25)の内面側(25a)と外面側(25b)とを連通する連通部(27)を備え、
前記連通部(27)は、前記プレッシャプレート(20)をその中心軸(Y')方向に見て、同プレッシャプレート(20)の中心軸(Y')と前記深穴部(21)の円筒軸芯(Z)とを結ぶ線(T)より、同プレッシャプレート(20)の回転方向(R)前側に位置することを特徴とするクラッチ装置。
【請求項２】
前記連通部(27)は、前記底部(22)から、前記深穴部(21)の円筒軸芯(Z)の方向に延出して形成されたことを特徴とする請求項１記載のクラッチ装置。
【請求項３】
前記連通部(27)が、前記プレッシャプレート(20)をその中心軸(Y')方向に見て、前記深穴部(21)の円筒軸芯(Z)を通る前記プレッシャプレート(20)の中心軸(Y')周りの円より外側に位置したことを特徴とする請求項１または請求項２記載のクラッチ装置。
【請求項４】
前記深穴部(21)は、複数設けられ、それらの円筒軸芯(Z)は、前記プレッシャプレート(20)をその中心軸(Y')方向に見て、同中心軸(Y')周りの同一円(S)上に配置されたことを特徴とする請求項１ないし請求項３のいずれか記載のクラッチ装置。
【請求項５】
前記プレッシャプレート(20)の外側を覆うクラッチカバー(110)の内面に、その組付けられた状態で、クラッチ軸芯(Y)から外周上方に向かって延出するリブ(112)が設けられ、前記プレッシャプレート(20)の中心に設けられた開口部(28)内に、前記リブ(112)の下方端が突出されたことを特徴とする請求項１ないし請求項４のいずれか記載のクラッチ装置。
【発明の詳細な説明】
【技術分野】
【０００１】
本発明は、内燃機関を備えたパワーユニットのクラッチ装置に関する。
【背景技術】
【０００２】
一般に、内燃機関を備えたパワーユニットの湿式多板クラッチ装置において、クラッチアウタの回転でオイルを掻き上げて、クラッチ装置の潤滑、冷却を行うものでは、内燃機関の静止時にはパワーユニットケース内下方に溜まったオイルに、クラッチアウタ下部が浸る状態にある。
しかし、一旦内燃機関が起動し回転数が上がれば、オイルはオイルポンプによって各潤滑、冷却箇所に送られて、オイルレベルが下降し、また、クラッチアウタの回転による遠心力で外周側に飛散するので、クラッチ装置へのオイルの供給が十分でなくなるため、パワーユニットケース内に霧状、飛沫状となったオイルをクラッチカバー内面に捕捉し、クラッチ内部に導くことが行われる。
【０００３】
自動二輪車等に搭載される、内燃機関を備えたパワーユニットの湿式多板クラッチ装置として、プレッシャプレートに潤滑、冷却のためのオイル取込用の穴を形成するものが、例えば下記特許文献１に示されている。
特許文献１に示されるクラッチ装置においては、プレッシャプレートに複数形成されるコイルスプリング（クラッチスプリング）装着用の深穴部の間に、オイル取込用の穴を形成し、その穴にオイル取込用のリブを連設することにより、クラッチアウタで掻き上げたオイルをクラッチ内部に導くものとしている。
【先行技術文献】
【特許文献】
【０００４】
【特許文献１】特開平１０−２７４２５６号公報（図２、図３）
【発明の概要】
【発明が解決しようとする課題】
【０００５】
しかしながら、上記特許文献１に示されるように、オイルをプレッシャプレートの内部に取り込むと、遠心力でプレッシャプレートの深穴部にオイルが入り込んで溜まり、排出され難いという問題があった。
【０００６】
本発明は、上記のごとき問題を解消することを目的とするものであり、深穴部からオイルが排出され易く、深穴部周辺の摩擦ディスクとクラッチディスクの潤滑性、冷却性が向上するクラッチ装置を提供することを課題とする。
【課題を解決するための手段】
【０００７】
上記の目的を達成するために、請求項１に記載の発明は、摩擦ディスクを相互回転不能且つクラッチ軸芯方向に摺動自在に支持するクラッチアウタと、クラッチディスクを相互回転不能且つクラッチ軸芯方向に摺動自在に支持するクラッチセンタと、同クラッチセンタと係合するクラッチスプリングを収容する深穴部が形成されたプレッシャプレートとを備えるクラッチ装置において、前記深穴部は、前記クラッチスプリングを受ける坐面をなす底部と、少なくとも一部が前記クラッチ軸芯と平行な円筒軸芯を有する円筒形状をなして内面側を前記クラッチ軸芯側に向けた壁部とで構成され、前記深穴部は、前記クラッチスプリングを前記壁部の内面側に収容するとともに、前記壁部の内面側と外面側とを連通する連通部を備え、前記連通部は、前記プレッシャプレートをその中心軸方向に見て、同プレッシャプレートの中心軸と前記深穴部の円筒軸芯とを結ぶ線より、同プレッシャプレートの回転方向前側に位置することを特徴とするクラッチ装置である。
【０００８】
請求項２に記載の発明は、請求項１に記載のクラッチ装置において、前記連通部は、前記底部から、前記深穴部の円筒軸芯の方向に延出して形成されたことを特徴とする。
【００１０】
請求項３に記載の発明は、請求項１または請求項２記載のクラッチ装置において、前記連通部が、前記プレッシャプレートをその中心軸方向に見て、前記深穴部の円筒軸芯を通る前記プレッシャプレートの中心軸周りの円より外側に位置したことを特徴とする。
【００１１】
請求項４に記載の発明は、請求項１ないし請求項３のいずれかに記載のクラッチ装置において、前記深穴部は、複数設けられ、それらの円筒軸芯は、前記プレッシャプレートをその中心軸方向に見て、同中心軸周りの同一円上に配置されたことを特徴とする。
【００１２】
請求項５に記載の発明は、請求項１ないし請求項４のいずれかに記載のクラッチ装置において、前記プレッシャプレートの外側を覆うクラッチカバーの内面に、その組付けられた状態で、クラッチ軸芯から外周上方に向かって延出するリブが設けられ、前記プレッシャプレートの中心に設けられた開口部内に、前記リブの下方端が突出されたことを特徴とする。
【発明の効果】
【００１３】
請求項１の発明のクラッチ装置によれば、内面側をクラッチ軸芯側に向けた壁部の内面側と外面側を連通部によって連通することで、深穴部に入ったオイルが、壁部の内面側に溜まることなく、外面側に排出され易くなり、深穴部周辺の摩擦ディスクおよびクラッチディスクの潤滑性および冷却性が向上し、ディスク滑り寿命が向上する。
また、プレッシャプレートの回転による遠心力で連通部から外面側に排出されたオイルを、効果的に、摩擦ディスクとクラッチディスクに指向させることができる。
【００１４】
請求項２の発明のクラッチ装置によれば、請求項１の発明の効果に加え、連通部を、プレッシャプレートを製造する際に、鋳抜きによって形成できるので、別途の連通部加工作業が不要となり、クラッチ装置の製造コストを低減できる。
【００１６】
請求項３の発明のクラッチ装置によれば、請求項１または請求項２の発明の効果に加え、プレッシャプレートの回転による遠心力で連通部から外面側に排出されたオイルを、より効果的に、摩擦ディスクとクラッチディスクに指向させることができる。
【００１７】
請求項４の発明のクラッチ装置によれば、請求項１ないし請求項３のいずれかの発明の効果に加え、摩擦ディスクとクラッチディスクに、より均一にオイルが供給される。
【００１８】
請求項５の発明のクラッチ装置によれば、請求項１ないし請求項４のいずれかの発明の効果に加え、クラッチカバーの内側で飛散しているオイルを、クラッチカバー内面で捕捉しリブによって導いて集め、リブの下方端から、プレッシャプレートの中心の開口部内に供給することができ、確実にオイルをプレッシャプレート上に導くことができる。
【図面の簡単な説明】
【００１９】
【図１】本発明の一実施形態に係るクラッチ装置の、隣接する変速機等の一部を加えて示す断面図である。
【図２】本実施形態のクラッチ装置の要部拡大断面図である。なお、図２中のプレッシャプレートは、図４中Ｄ−Ｄ矢視によって示されるが、Ｃ部分のみは図４中Ｅ−Ｅ矢視によって示される。
【図３】図１中Ａ−Ａ矢視により、クラッチカバーのみを示す、クラッチカバー内面図である。
【図４】図１中Ｂ−Ｂ矢視により、プレッシャプレートのみを示す、プレッシャプレート内面図である。
【図５】図４中Ｄ−Ｄ矢視による、プレッシャプレートの縦断面図である。なお、図５中、Ｃ部分のみは図４中Ｅ−Ｅ矢視によって示される。
【発明を実施するための形態】
【００２０】
図１から図５に基づき、本発明の一実施形態に係るクラッチ装置につき説明する。
なお、本実施形態のクラッチ装置１は、自動二輪車やバギー等に搭載される、内燃機関を備えたパワーユニット100に設けられた湿式多板クラッチ装置であるが、本発明は搭載する車両、パワーユニットの用途を限定するものではなく、据え置き用のパワーユニットにおいて適用することを除外するものでもない。また、パワーユニットを構成する内燃機関の種類、気筒数等を限定するものでもない。
【００２１】
なお、図において、「ＬＨ」、「ＲＨ」、「ＵＰ」と記載した矢印は、車載時のパワーユニット100の配置において、車両進行方向に見て、それぞれ左方向、右方向、上方向を示す。また、各機器、部材上に記入した小矢印は、潤滑、冷却用のオイルの流れ方向を、模式的に示すものである。
【００２２】
図１は、車載時、クランク軸２の軸芯Ｘおよびメイン軸４の軸芯Ｙが平行に、略水平に配向されるパワーユニットにおけるクラッチ装置１を、隣接する変速機３等の一部を加えて示す断面図である。
本実施形態においてメイン軸４は、車幅方向（図示左右方向）に指向して配置されるが、本発明はメイン軸が車両進行方向に配置されたものにでも適用できる。
【００２３】
また、図１に示す本実施形態において、クラッチ装置１は、全容を図示しないパワーユニット100の左右パワーユニットケース101Ｌ、101Ｒに軸支されたクランク軸２から、左右パワーユニットケース101Ｌ、101Ｒ内に備えられた変速機３のメイン軸４へ向かう回転動力伝達経路上に配置され、変速機３のメイン軸４は、クランク軸２上に配設されたプライマリドライブギア５から、クラッチ装置１を介して、クランク軸２の回転動力を伝達されるように構成されている。
【００２４】
また、クラッチ装置１は、右パワーユニットケース101Ｒに取り付けられた右クランクケースカバー102Ｒの開口部103において、右クランクケース101Ｒより右方（図示右方）に突出したメイン軸４に取付けられ、開口部103は、クラッチ装置１の外側を覆うクラッチカバー110で塞がれている。
【００２５】
クラッチ装置１は、運転者の変速操作に応じて、変速機３のギア切換え中にはクランク軸２の回転動力を変速機３のメイン軸４に伝達せず、ギア切換えが終了するとともに回転動力をメイン軸４に伝達する。
【００２６】
変速機３は、クランク軸２と平行に配置され左右パワーユニットケース101Ｌ、101Ｒに軸支されたメイン軸４とカウンタ軸６とを備え、両軸４、６は、それぞれのギア群４ａ、６ａを、ギア切換えに即して作動、連結される。カウンタ軸６はパワーユニットの出力軸となっている。
【００２７】
以下、図２を参照して、本実施形態のクラッチ装置１を説明する。
クラッチ装置１は、変速機３のメイン軸４に回転自在に支承される有底円筒状のクラッチアウタ７を備えており、クラッチアウタ７の底部外側（図示右側）に、プライマリドライブギア５と噛合するプライマリドリブンギア８が取り付けられる。そして、比較的小径のプライマリドライブギア５と、プライマリドライブギア５よりも大きい径のプライマリドリブンギア８とから、１次減速装置が構成される。
したがって、クラッチ装置１の軸芯（クラッチ軸芯）は、メイン軸４の軸芯Ｙと同じである。
【００２８】
クラッチアウタ７の内側には、メイン軸４にスプライン嵌合してナット９で固着される
有底円筒状のクラッチセンタ10が配設されている。クラッチセンタ10の周壁部10ａの外周側に、相互回転不能且つクラッチ軸芯Ｙ方向摺動可能に、複数枚のクラッチディスク11が支持されている。
また、クラッチアウタ７の周壁部７ａの内周側には、相互回転不能且つクラッチ軸芯Ｙ方向摺動可能に、複数枚の摩擦ディスク12が支持され、クラッチディスク11とクラッチ軸芯Ｙ方向に交互に重ねられている。
【００２９】
これらのクラッチディスク11と摩擦ディスク12とのうち最も外側（図示右側）に位置する摩擦ディスク12には、プレッシャプレート20が当接して設けられ、クラッチセンタ10の受圧部10ｂと協働して、クラッチディスク11と摩擦ディスク12とを挟持している。
【００３０】
クラッチセンタ10の環状平板部10ｃにはプレッシャプレート20側に向けて複数個の突出部13（図１、２中には１個のみ示される）が形成され、突出部13の先端中心にはねじ孔13ａが設けてある。
一方、プレッシャプレート20には、クラッチセンタ10の環状平板部10ｃ側に向けて凹む複数個の深穴部21（図１、２中には１個のみ示される）が設けられ、深穴部21の底部22には貫通孔23が設けてある。
【００３１】
突出部13は、プレッシャプレート20の深穴部21の貫通孔23に挿通されて、深穴部21内へ突出している。突出部13のねじ孔13ａに螺着されたボルト14で固定されたワッシャ15と、プレッシャプレート20の深穴部21の底部22に形成される坐面22ａとの間に、クラッチスプリング（コイルばね）24が縮設される。
また、クラッチセンタ10の周壁部10ａには、その内周側と外周側とを連通する連通孔16が複数、穿設されている。
【００３２】
プレッシャプレート20は、クラッチスプリング24によって内方（図示左方）に押圧されるので、クラッチディスク11と摩擦ディスク12とをクラッチセンタ10の受圧部10ａの方へ押し、クラッチ装置１を接続するよう常に付勢される。
プレッシャプレート20の押圧力で、クラッチディスク11と摩擦ディスク12とは互いに摩擦係合し、クラッチアウタ９の回転力がクラッチセンタ10に伝達され、クラッチセンタ10の回転に応じてメイン軸４が一体回転する。
【００３３】
メイン軸４には軸芯Ｙと同芯に中空孔40が設けられ、クラッチ作動軸41が挿通されている。中空孔40のクラッチ装置１側（図示右側）の端部にはメイン軸４端に開口するシリンダ状の拡孔部42が設けられ、拡孔部42には、押圧部材43が軸方向摺動自在に挿入されている。
【００３４】
押圧部材43には、拡孔部42に挿入された側に、挿入された状態で軸芯Ｙと同芯となる嵌合穴44が設けられ、クラッチ作動軸41のクラッチ装置１側（図示右側）の端部が挿入嵌装される。クラッチ作動軸41の図示しない他端（図示左端）は、図示しないクラッチ操作機構に連結されている。
【００３５】
押圧部材43の、嵌合穴44と反対側の外端部43ａには、嵌合穴44と同芯にオイル受け穴45が穿設されて開口している。オイル受け穴45の底部は、嵌合穴44とは連通せず、垂直に設けられたオイル出し孔45ａで押圧部材43の側面に開口する。
また、押圧部材43のオイル受け穴45を設けた外側面には、側面周囲を軸芯Ｙ周りに囲むようにフランジ部46が凸設されている。
【００３６】
一方、プレッシャプレート20は、クラッチ装置１が組付けられた状態において、その中心軸Ｙ′が、クラッチ軸芯Ｙと実質的に同じく位置し、その中心部に中心軸Ｙ′方向に貫通する開口部28を有する。
その状態で、押圧部材43の外端部43ａは、プレッシャプレート20の開口部28内に位置するとともに、押圧部材43のフランジ部46が、プレッシャプレート20の開口部28の周囲内面28ａにベアリング47を介して当接している。
【００３７】
クラッチ作動軸41が、図示していないクラッチ操作機構によって、軸方向外方（矢印Ｐの方向）へ押されると、クラッチ作動軸41は、押圧部材43とベアリング47を介してプレッシャプレート20をクラッチ外方（軸芯Ｙ方向の図示右方）へ押す。
プレッシャプレート20は、クラッチスプリング24の付勢力に抗してクラッチ外方へ移動すると、クラッチディスク11と摩擦ディスク12に対する加圧プレート20の押圧力が減少し、クラッチディスク11と摩擦ディスク12の間の摩擦係合が解除される。この時、クラッチアウタ７の回転力はクラッチセンタ10に伝達されなくなり、クラッチ装置１が遮断状態となる。
【００３８】
次に、クラッチ操作機構によるクラッチ外方への押圧力が解除されると、クラッチスプリング24によって、プレッシャプレート20は押圧部材43とクラッチ作動軸41を押し戻して、クラッチ内方（軸芯Ｙ方向の図示左方）へ移動するので、クラッチディスク11と摩擦ディスク12に対するプレッシャプレート20の押圧力が回復し、クラッチ装置１は接続状態に戻る。
【００３９】
クラッチカバー110は、右クランクケースカバー102Ｒの開口部103において、クラッチ装置１の外側を覆っているが、図３にも示されるように、組付けられた状態で、その内面111に、クラッチ軸芯Ｙと重なる中心部Ｏから外周上方に向かって延出するリブ112が設けられている。
【００４０】
リブ112の下方端は、クラッチカバー110の中心部Ｏにおいて、プレッシャプレート20側に向けて突出する突出部113を形成しており、突出部113は上方が開いた樋状をなしている。
突出部113は、プレッシャプレート20の中心部に設けられた開口部28内に突出して位置する。したがって、突出部113は、開口部28内に位置する押圧部材43の外端部43ａに設けられたオイル受け穴45の端部開口内にまで挿入されている。
【００４１】
以下、プレッシャプレート20につき、図４、図５を参照して説明する。
プレッシャプレート20には、上述のようにクラッチセンタ10と係合するクラッチスプリング24を収容する深穴部21が形成される。
深穴部21は、クラッチスプリング24を受ける坐面22ａをなす底部22と、一部がクラッチ軸芯Ｙと平行な円筒軸芯Ｚを有する円筒形状をなしてその内面側25ａをクラッチ軸芯Ｙ側に向けた壁部25とで構成されるが、壁部25は、クラッチ軸芯Ｙ側の一部分が開口する切欠き部26を有している。
【００４２】
また、深穴部21は、クラッチスプリング24を、壁部25の内面側25ａに収容するとともに、壁部25の内面側25ａと外面側25ｂとを連通する連通部27を備えている。
連通部27は、底部22から、深穴部21の円筒軸芯Ｚと平行な中心線Ｗをもってその方向に壁部25に延出して形成される。したがって、連通部27は、プレッシャプレート20を製造する際に、深穴部21等と一体に鋳抜きによって形成される。
【００４３】
プレッシャプレート20の中心軸Ｙ′は、組付けられた状態で、公差分や組立て上のクリアランス等を除けば、メイン軸４の軸芯、すなわちクラッチ軸芯Ｙと略同芯である。
プレッシャプレート20の中心部には、その中心軸Ｙ′に沿って貫通する開口部28が設けられ、そのクラッチ内方側の周囲内面28ａは、上述のように、ベアリング47を介して押圧部材43と当接する。
【００４４】
プレッシャプレート20には、図４に示すように、４箇所、深穴部21が設けられ、それらの円筒軸芯Ｚは、プレッシャプレート20をその中心軸Ｙ′方向に見て、中心軸Ｙ′周りの同一円Ｓ上に配置されている。
【００４５】
また、連通部27はその中心軸Ｗが、プレッシャプレート20をその中心軸Ｙ′方向に見て、プレッシャプレート20の中心、すなわち中心軸Ｙ′と、深穴部21の円筒軸芯Ｚとを結ぶ線Ｔより、プレッシャプレート20の回転方向Ｒ前側（本実施形態では、線Ｔから円筒軸芯Ｚ周りに、Ｒ方向に図示角度α回転前進させた位置：α＝４５°）に位置している。
【００４６】
そして、連通部27はその中心軸Ｗが、プレッシャプレート20をその中心軸Ｙ′方向に見て、深穴部21の円筒軸芯Ｚを通るプレッシャプレート20の中心軸Ｙ′周りの円Ｓより外側に位置している。
すなわち、連通部27の中心軸Ｗが円筒軸芯Ｚ周りに位置する仮想的な円Ｕが、円Ｓと交わる点までの上記円Ｓの外側の範囲（本実施形態では、円Ｓの外側において、中心軸Ｗを、線Ｔから円筒軸芯Ｚ周りにＲ方向に図示角度αｍａｘまで回転させる範囲）内としている。
【００４７】
以上のような本実施形態のクラッチ装置１によれば、パワーユニット100の内燃機関の起動時には、クラッチアウタ７がオイルを掻き上げるが、内燃機関の回転数が上がれば、クラッチ装置１へのオイル供給は主に、霧状、飛沫状となったオイルをクラッチカバー110の内面110で捕捉し、特に、クラッチディスク11、摩擦ディスク12に導くことで行われる。
【００４８】
図２を参照して説明すると、霧状、飛沫状となったオイルは、クラッチカバー110内面で捕捉され、クラッチ軸芯Ｙから外周上方に向かって延出するリブ112によって導かれて、その下方端に設けられた突出部113へ集められ、突出部113が突出して位置するプレッシャプレート20の中心部の開口部28内に流入する。
【００４９】
開口部28内に供給されたオイルの一部は、回転しているプレッシャプレート20による遠心力で、開口部28からプレッシャプレート20の表面をラジアル方向に伝って流れ、その一部が深穴部21内に流れ込み、他の一部はさらにプレッシャプレート20の外周端に向け流れて、クラッチディスク11、摩擦ディスク12に至る。
【００５０】
開口部28に供給されたオイルの他の一部は、開口部28内に挿入されている押圧部材43のオイル受け穴45内に供給され、クラッチセンタ10、プレッシャプレート20とともに回転している押圧部材43による遠心力で、オイル出し穴45ａから、プレッシャプレート20とクラッチセンタ10との間の空間にラジアル方向に流出する。
【００５１】
深穴部21の壁部25は、クラッチ軸芯Ｙ側の一部分が開口する切欠き部26を有しているので、オイル出し穴45ａからラジアル方向に流出したオイルの一部は、切欠き部26から深穴部21内に流れ込み、他の一部は深穴部21をかわしてクラッチセンタ10の周壁部10ａの内周側に至る。
周壁部10ａには、その内周側と外周側とを連通する連通孔16が複数、穿設されているので、オイルは、回転している周壁部10ａによる遠心力で、連通孔16を通って、クラッチディスク11、摩擦ディスク12に至る。あるいは、周壁部10ａの縁部から、クラッチディスク11、摩擦ディスク12に至る。
【００５２】
一方、上記いずれの経路をとっても、深穴部21に流入したオイルに関しては、深穴部21の壁部25の一部が、クラッチ軸芯Ｙと平行な円筒軸芯Ｚを有する円筒形状をなしてその内面側25ａをクラッチ軸芯Ｙ側に向けているので、もし従来装置であれば、オイルは壁部25の内面側25ａに遠心力によって保持されて溜まり、排出され難いという問題があった。その場合、深穴部21の周辺のクラッチディスク11、摩擦ディスク12へのオイル供給が低下する恐れもあった。
【００５３】
しかし、図２（および図４、図５）に示されるように、本実施形態の深穴部21においては、壁部25の内面側25ａと外面側25ｂとを連通する連通部27を備えているので、深穴部21に入ったオイルは、壁部25の内面側25ａに溜まることなく、プレッシャプレート20の回転による遠心力で連通部27から外面側25ｂに容易に排出される。
排出されたオイルは、クラッチセンタ10の周壁部10ａの連通孔16を通って、あるいは、周壁部10ａの縁部から、クラッチディスク11、摩擦ディスク12に至り、潤滑、冷却に供される。
その結果、深穴部21周辺の摩擦ディスク12とクラッチディスク11の潤滑性および冷却性が向上し、ディスク滑り寿命が向上した。また、オイルの循環性が向上し、オイルの有効利用がなされた。
【００５４】
また、連通部27は、深穴部21の底部22から、深穴部21の円筒軸芯Ｚの方向に延出して形成されたので、連通部27を、プレッシャプレート20を製造する際に、鋳抜きによって同時に形成できるため、別途の連通部27加工作業が不要となり、クラッチ装置１の製造コストを低減できた。
【００５５】
また、プレッシャプレート20をその中心軸Ｙ′方向に見て、連通部27が、プレッシャプレート20の中心軸Ｙ′と深穴部21の円筒軸芯Ｚとを結ぶ線Ｔより、プレッシャプレート20の回転方向Ｒ前側に位置されたので、プレッシャプレート20の回転による遠心力で連通部27から外面側25ｂに排出されたオイルを、回転しているプレッシャプレート20の連通部27から、上記の線Ｔの方向外周側に位置する摩擦ディスク12とクラッチディスク11に、効果的に指向させることができた。
【００５６】
また、プレッシャプレート20をその中心軸Ｙ′方向に見て、連通部27が、深穴部21の円筒軸芯Ｚを通るプレッシャプレート20の中心軸Ｙ′周りの円Ｓより外側に位置されたので、連通部27がクラッチ軸芯Ｙから外周方向に向く範囲に位置するものとなるため、プレッシャプレート20の回転による遠心力で連通部27から外面側25ｂに排出されたオイルを、より効果的に、摩擦ディスク12とクラッチディスク11に指向させることができた。
【００５７】
また、深穴部21が、複数設けられ、それらの円筒軸芯Ｚは、プレッシャプレート20をその中心軸Ｙ′方向に見て、中心軸Ｙ′周りの同一円Ｓ上に配置されたので、摩擦ディスク12とクラッチディスク11に、より均一にオイルが供給された。
【００５８】
またさらに、プレッシャプレート20の外側を覆うクラッチカバー110の内面に、その組付けられた状態で、クラッチ軸芯Ｙから外周上方に向かって延出するリブ112が設けられ、プレッシャプレート20の中心部Ｏに設けられた開口部28内に、リブ112の下方端の突出部113が突出されたので、クラッチカバー110の内側で飛散しているオイルを、クラッチカバー110の内面111で捕捉しリブ112によって導いて集め、リブ112の下方端の突出部113から、プレッシャプレート20の開口部28内に供給することができ、確実にオイルをプレッシャプレート20上に導くことができた。
【００５９】
以上、本発明を上記実施形態に基づき説明したが、本発明は、上記実施形態で示された態様に限定されることはなく、その要旨の範囲で多様な形態の実施を含むものである。
例えば、本実施形態では、本発明の請求項４で加わる構成のように、深穴部21が、複数設けられ、それらの円筒軸芯Ｚが同一円Ｓ上に配置されたものが示されるが、上記実施形態の構成の連通部27、壁部25等を備える深穴部21は、クラッチ装置において単数の場合であっても、また、複数が同一円Ｓ上になく配置されたものであっても、請求項１から請求項３の発明は有効に実施されて作用効果を奏し、さらに、請求項５の構成を加えた発明も有効に実施されて作用効果を奏することは勿論である。尤も、請求項４の構成を加えたものは、より効果的に本発明を実施でき、その作用効果を奏する。
【符号の説明】
【００６０】
１…クラッチ装置、２…クランク軸、３…変速機、４…メイン軸、４ａ…ギア群、５…プライマリドライブギア、６…カウンタ軸、６ａ…ギア群、７…クラッチアウタ、７ａ…周壁部、８…プライマリドリブンギア、９…ナット、10…クラッチセンタ、10ａ…周壁部
、10ｂ…受圧部、10ｃ…環状平板部、11…クラッチディスク、12…摩擦ディスク、13…突出部、13ａ…ねじ孔、14…ボルト、15…ワッシャ、16…連通孔、20…プレッシャプレート
、21…深穴部、22…底部、22ａ…坐面、23…貫通孔、24…クラッチスプリング、25…壁部、25ａ…内面側、25ｂ…外面側、26…切欠き部、27…連通部、28…開口部、28ａ…周囲内面、40…中空孔、41…クラッチ作動軸、42…拡孔部、43…押圧部材、43ａ…外端部、44…嵌合穴、45…オイル受け穴、45ａ…オイル出し孔、46…フランジ部、47…ベアリング、100…パワーユニット、101Ｌ…左パワーユニットケース、101Ｒ…右パワーユニットケース、102Ｒ…右パワーユニットケースカバー、103…開口部、110…クラッチカバー、111…内面、112…リブ、113…突出部、Ｏ…（クラッチカバーの）中心部、Ｓ…（中心軸Ｙ′周りの円筒軸芯Ｚを通る）円、Ｔ…（中心軸Ｙ′と円筒軸芯Ｚとを結ぶ）線、Ｕ…（中心軸Ｗが円筒軸芯Ｚ周りに位置する仮想的な）円、Ｗ…（連通部の）中心軸、Ｘ…クランク軸芯、Ｙ…クラッチ軸芯、（メイン軸の）軸芯、Ｙ′…（プレッシャプレートの）中心軸、Ｚ…（深穴部の）円筒軸芯
【図１】
0005503320.tif 000002
【図２】
0005503320.tif 000003
【図３】
0005503320.tif 000004
【図４】
0005503320.tif 000005
【図５】
0005503320.tif 000006